(57)【要約】  受信側におけるメディアデータの選択的処理の便宜を図る。  上位層にメディアデータを含む多重化トランスポートパケットを持つ伝送パケットが連続的に配置された伝送ストリームを送信する。伝送パケットに、当該伝送パケットに含まれるメディアデータの種類を示す識別情報を挿入する。受信側では、所望のメディアデータが含まれる伝送パケットを容易に認識でき、選択的に処理できる。
2016080234.tif 000002
【特許請求の範囲】
【請求項１】
上位層にメディアデータを含む多重化トランスポートパケットを持つ伝送パケットが連続的に配置された伝送ストリームを送信する送信部と、
上記伝送パケットに、該伝送パケットに含まれる上記メディアデータの種類を示す識別情報を挿入する情報挿入部を備える
送信装置。
【請求項２】
上記送信部は、
上記連続的に配置される伝送パケットを複数の変調方法を用いて変調して送信する
請求項１に記載の送信装置。
【請求項３】
異なる変調方法で変調される伝送パケットに含まれる上記メディアデータの種類は異なる
請求項２に記載の送信装置。
【請求項４】
上記伝送パケットは、ペイロードに上記多重化トランスポートパケットを含むＩＰパケットをカプセル化して得られたカプセルレイヤのパケットである
請求項１に記載の送信装置。
【請求項５】
上記伝送パケットは、ＧＳＥパケット、あるいはＴＬＶパケットである
請求項４に記載の送信装置。
【請求項６】
送信部により、上位層にメディアデータを含む多重化トランスポートパケットを持つ伝送パケットが連続的に配置された伝送ストリームを送信する送信ステップと、
上記伝送パケットに、該伝送パケットに含まれる上記メディアデータの種類を示す識別情報を挿入する情報挿入ステップを有する
送信方法。
【請求項７】
上位層にメディアデータを含む多重化トランスポートパケットを持つ伝送パケットが連続的に配置された伝送ストリームを受信する受信部を備え、
上記伝送パケットに、該伝送パケットに含まれる上記メディアデータの種類を示す識別情報が挿入されており、
上記受信された伝送ストリームを、上記識別情報に基づいて処理する処理部をさらに備える
受信装置。
【請求項８】
上記処理部は、
上記受信された伝送ストリームを構成する伝送パケットのうち、所望のメディアデータの種類を示す上記識別情報が挿入されている伝送パケットのペイロードデータを選択的にバッファに取り込んで処理する
請求項７に記載の受信装置。
【請求項９】
上記伝送パケットは、ペイロードに上記多重化トランスポートパケットを含むＩＰパケットをカプセル化して得られたカプセルレイヤのパケットである
請求項７に記載の受信装置。
【請求項１０】
上記伝送パケットは、ＧＳＥパケット、あるいはＴＬＶパケットである
請求項９に記載の受信装置。
【請求項１１】
受信部により、上位層にメディアデータを含む多重化トランスポートパケットを持つ伝送パケットが連続的に配置された伝送ストリームを受信する受信ステップを有し、
上記伝送パケットに、該伝送パケットに含まれる上記メディアデータの種類を示す識別情報が挿入されており、
上記受信された伝送ストリームを、上記識別情報に基づいて処理する処理ステップをさらに有する
受信方法。
【発明の詳細な説明】
【技術分野】
【０００１】
本技術は、送信装置、送信方法、受信装置および受信方法に関し、詳しくは、伝送パケットが連続的に配置された伝送ストリームを送信する送信装置等に関する。
【背景技術】
【０００２】
ＩＰパケットの上にサービスストリームを供給するような場合、伝送路の変調を行う物理レイヤ（Physical layer）と、データをパケット化するＩＰパケットレイヤとの間のインタフェースとしてカプセルレイヤを設ける場合がある（例えば、特許文献１参照）。
【先行技術文献】
【特許文献】
【０００３】
【特許文献１】特開２０１２−０１５８７５号公報
【発明の概要】
【発明が解決しようとする課題】
【０００４】
放送波のサービスのパケットをＩＰパケットに載せ、そのＩＰパケットを放送波で伝送するためにカプセルレイヤを介することが考えられる。この場合、カプセルレイヤのパケットは、メディアデータを含む多重化トランスポートパケットを上位層に持つものとなる。この際、複数の種類のメディアデータを、時分割的に伝送することも考えられる。【０００５】
本技術の目的は、受信側におけるメディアデータの選択的処理の便宜を図ることにある。
【課題を解決するための手段】
【０００６】
本技術の概念は、
上位層にメディアデータを含む多重化トランスポートパケットを持つ伝送パケットが連続的に配置された伝送ストリームを送信する送信部と、
上記伝送パケットに、該伝送パケットに含まれる上記メディアデータの種類を示す識別情報を挿入する情報挿入部を備える
送信装置にある。【０００７】
本技術において、送信部により、上位層にメディアデータを含む多重化トランスポートパケットを持つ伝送パケットが連続的に配置された伝送ストリームが送信される。例えば、伝送パケットは、ペイロードに多重化トランスポートパケットを含むＩＰパケットをカプセル化して得られたカプセルレイヤのパケットである、ようにされてもよい。この場合、例えば、伝送パケットは、ＧＳＥパケット、あるいはＴＬＶパケットである、ようにされてもよい。情報挿入部により、伝送パケットに、この伝送パケットに含まれるメディアデータの種類を示す識別情報が挿入される。【０００８】
このように本技術においては、伝送パケットにそれに含まれるメディアデータの種類を示す識別情報が挿入される。そのため、受信側では、所望のメディアデータが含まれる伝送パケットを容易に認識でき、メディアデータの選択的処理の便宜が図られる。【０００９】
なお、本技術において、例えば、送信部は、連続的に配置される伝送パケットを複数の変調方法を用いて変調して送信する、ようにされてもよい。この場合、例えば、異なる変調方法で変調される伝送パケットに含まれるメディアデータの種類は異なる、ようにされてもよい。これにより、各伝送パケットの変調方法をそれに含まれるメディアデータの種類に応じて変更することも可能となる。【００１０】
また、本技術の他の概念は、
上位層にメディアデータを含む多重化トランスポートパケットを持つ伝送パケットが連続的に配置された伝送ストリームを受信する受信部を備え、
上記伝送パケットに、該伝送パケットに含まれる上記メディアデータの種類を示す識別情報が挿入されており、
上記受信された伝送ストリームを、上記識別情報に基づいて処理する処理部をさらに備える
受信装置にある。【００１１】
本技術において、受信部により、上位層にメディア情報を含むコンテナを持つ伝送パケットが連続的に配置された伝送ストリームが受信される。伝送パケットに、この伝送パケットに含まれるメディアデータの種類を示す識別情報が挿入されている。例えば、伝送パケットは、ペイロードに多重化トランスポートパケットを含むＩＰパケットをカプセル化して得られたカプセルレイヤのパケットである、ようにされてもよい。この場合、例えば、伝送パケットは、ＴＬＶパケットあるいはＧＳＥパケットである、ようにされてもよい。【００１２】
処理部により、受信された伝送ストリームが識別情報を用いて処理される。例えば、処理部は、受信された伝送ストリームを構成する伝送パケットのうち、所定のメディアデータの種類を示す識別情報が挿入されている伝送パケットのペイロードデータを選択的にバッファに取り込んで処理する、ようにされてもよい。【００１３】
このように本技術においては、伝送パケットが連続的に配置された伝送ストリームを、各伝送パケットに挿入されている、当該伝送パケットに含まれるメディアデータの種類を示す識別情報に基づいて処理するものである。この場合、所望のメディアデータが含まれる伝送パケットを容易に認識でき、メディアデータの選択的処理を容易に行い得る。
【発明の効果】
【００１４】
本技術によれば、受信側におけるメディアデータの選択的処理の便宜を図ることができる。なお、本明細書に記載された効果はあくまで例示であって限定されるものではなく、また付加的な効果があってもよい。
【図面の簡単な説明】
【００１５】
【図１】実施の形態としての送受信システムの構成例を示すブロック図である。
【図２】伝送プロトコル・スタックを示す図である。
【図３】伝送プロトコル・スタックのパケット構成略図を示す図である。
【図４】送信装置の構成例を示すブロック図である。
【図５】カプセルレイヤ・パケットに含まれるメディアデータの種類の一例を示す図である。
【図６】ＧＳＥパケットの構造例と、その構造例における主要な項目の内容を示す図である。
【図７】プライオリティ（priority）の値が挿入されるオプショナルエクステンションヘッダの構造例を示す図である。
【図８】ＴＬＶパケットの構造例を示す図である。
【図９】各カプセルレイヤ・パケットを変調する変調方法の数と種類を説明するための図である。
【図１０】伝送されるパケットタイプの組み合わせの一例と変調タイプを示す図である。
【図１１】受信装置の構成例を示すブロック図である。
【図１２】受信端末におけるパケット選択動作例を説明するための図である（組み合わせ：ｃ１、変調方法：１つ）。
【図１３】受信端末におけるパケット選択動作例を説明するための図である（組み合わせ：ｃ１、変調方法：２つ）。
【図１４】受信端末におけるパケット選択動作例を説明するための図である（組み合わせ：ｃ３、変調方法：１つ）。
【図１５】受信端末におけるパケット選択動作例を説明するための図である（組み合わせ：ｃ３、変調方法：２つ）。
【発明を実施するための形態】
【００１６】
以下、発明を実施するための形態（以下、「実施の形態」とする）について説明する。なお、説明を以下の順序で行う。
１．実施の形態
２．変形例
【００１７】
＜１．実施の形態＞
［送受信システムの構成例］
図１は、実施の形態としての送受信システム１０の構成例を示している。この送受信システム１０は、送信装置１００と、受信装置２００とを有する構成となっている。
【００１８】
送信装置１００は、上位層にメディアデータを含む多重化トランスポートパケットを持つ伝送パケットが連続的に配置された伝送ストリームを、放送波に載せ、ＲＦ伝送路を通じて受信側に送信する。ここで、多重化トランスポートパケットは、ＭＭＴパケット、あるいはＲＴＰパケット、あるいはＭＰ４と称されるＩＳＯＢＭＦＦ（ISO Base Media File Format）のパケット、あるいはＴＳパケットなどである。
【００１９】
この実施の形態において、伝送パケットは、ペイロードに多重化トランスポートパケットを含むＩＰパケットをカプセル化して得られたカプセルレイヤ・パケットである。カプセルレイヤ・パケットとしては、例えば、ＧＳＥ（Generic Stream Encapsulation）パケット、ＴＬＶ（Types Length Value）パケットなどがある。
【００２０】
この実施の形態において、各カプセルレイヤ・パケットに、当該カプセルレイヤ・パケットに含まれるメディアデータの種類を示す識別情報が挿入される。また、この実施の形態において、各カプセルレイヤ・パケットは、１つの変調方法を用いて変調されて送信されるか、あるいは、複数の変調方法を用いて変調されて送信される。
【００２１】
受信装置２００は、送信装置１００から放送波に載せて送られてくる伝送ストリームを受信する。この伝送ストリームには、上述したカプセルレイヤ・パケットが連続的に配置されている。各カプセルレイヤ・パケットには、当該カプセルレイヤ・パケットに含まれるメディアデータの種類を示す識別情報が挿入されている。
【００２２】
上述したように、各カプセルレイヤ・パケットは、１つの変調方法を用いて変調されて送信されるか、あるいは、複数の変調方法を用いて変調されて送信されてくる。受信装置２００では、自身が対応する変調方法で変調されている伝送パケットのみ復調されて取得される。
【００２３】
受信装置２００は、各カプセルレイヤ・パケットに挿入されている識別情報に基づいて、受信された伝送ストリームを処理する。例えば、受信された伝送ストリームを構成するカプセルレイヤ・パケットのうち、所望のメディアデータの種類を示す識別情報が挿入されているカプセルレイヤ・パケットペイロードデータが選択的にバッファに取り込まれて処理され、画像や音声のデコード・提示がなされる。
【００２４】
図２は、伝送プロトコル・スタックを示している。一番下に伝送路変調レイヤがある。この伝送路変調レイヤの上に伝送スロットがあり、この伝送スロットの中に、ＧＳＥパケット、ＴＬＶパケットなどのカプセルレイヤ・パケットがあり、このカプセルレイヤ・パケットの上にはＩＰパケットがある。そして、このＩＰパケットの上に、図示しないＵＤＰパケットあるいはＴＣＰパケットを介して、ビデオ、オーディオのメディアデータや制御系データを含む、コンテナレイヤの多重化トランスポートパケットがある。
【００２５】
なお、伝送スロットは、ひとつの伝送フレームに、変調方式に応じて、最大１２０個まで含まれる。各スロットの何バイト目からパケットが多重化されているかを示すポインタ情報が、ＴＭＣＣ（Transmission and Multiplexing Configuration Control）信号により伝送される。
【００２６】
図３は、伝送プロトコル・スタックのパケット構成略図を示している。物理フレーム（Physical Frame）は、先頭にプリアンブル（Pre Amble）が存在し、その後にフレーム（Frame）が続いた構成となっている。このフレームの中に、レイヤ１「Ｌ１」のベースバンドフレーム（Baseband frame）が連続的に配される。この際、各ベースバンドフレームは、インターリーブ（Interleave）が施され、所定の符号化率で変調される。この変調方法として、この実施の形態においては、上述したように、１つまたは複数の変調方法が用いられる。
【００２７】
レイヤ１「Ｌ１」のベースバンドフレームは、データ（Data）にエラーチェック用のパリティ（Parity）が付加された構成となっている。レイヤ１「Ｌ１」のデータ（Data）には、レイヤ２「Ｌ２」、つまりカプセルレイヤのパケットが配される。カプセルレイヤ・パケットは、ヘッダ（Header）とペイロード（Payload）で構成されている。
【００２８】
このカプセルレイヤ・パケットのペイロード（Payload）には、レイヤ３「Ｌ３」のＩＰパケットが配される。このＩＰパケットは、ヘッダ（Header）と、ＴＣＰあるいはＵＤＰのパケットを持つペイロード（Payload）で構成されている。このＴＣＰあるいはＵＤＰのパケットのペイロード（Payload）に、レイヤ４「Ｌ４」、つまりコンテナレイヤの多重化トランスポートパケットが配される。
【００２９】
［送信装置の構成例］
図４は、送信装置１００の構成例を示している。この送信装置１００は、制御部１１１と、エンコーダ１１２と、コンテナ生成部１１３と、フレーミング部１１４と、変調/送信部１１５を有している。制御部１１１は、送信装置１００の各部の動作を制御する。エンコーダ１１２は、ビデオ、オーディオなどのメディアデータに符号化を施して、符号化データを得る。
【００３０】
また、コンテナ生成部１１３は、エンコーダ１１２で得られた符号化データをパケット化して、メディア毎に、多重化トランスポートパケットを生成する。例えば、多重化トランスポートパケットは、ＭＭＴパケット、あるいはＲＴＰパケット、あるいはＭＰ４と称されるＩＳＯＢＭＦＦ（ISO Base Media File Format）のパケット、あるいはＴＳパケットなどである。
【００３１】
フレーミング部１１４は、多重化トランスポートパケットに対して、ＵＤＰあるいはＴＣＰにパケット化し、さらに、ＩＰヘッダを付加して、多重化トランスポートパケットを含むＩＰパケットを生成する。さらに、フレーミング部１１４は、このＩＰパケットをカプセル化したＧＳＥパケット、ＴＬＶパケットなどのカプセルレイヤ・パケットを生成する。
【００３２】
また、フレーミング部１１４は、カプセルレイヤ・パケットに、当該カプセルレイヤ・パケットに含まれるメディアデータの種類を示す識別情報を挿入する。この実施の形態においては、識別情報として、プライオリティ（priority）の値を挿入する。
【００３３】
図５は、カプセルレイヤ・パケットに含まれるメディアデータの種類の一例を示している。プライオリティ（priority）が“０”で識別されるメディアデータの種類は、ＨＤ解像度のビデオデータ１（Video1）と従来音質のオーディオデータ１（Audio1）からなるものと定義する。そして、この種類のメディアデータを含むカプセルレイヤ・パケットのタイプ（type）は、パケットタイプ１（Packet type1）とされる。
【００３４】
また、プライオリティ（priority）が“１”で識別されるメディアデータの種類は、ＵＨＤ解像度のビデオデータ２（Video2）と高音質のオーディオデータ２（Audio2）からなるものと定義する。そして、この種類のメディアデータを含むカプセルレイヤ・パケットのタイプ（type）は、パケットタイプ２（Packet type2）とされる。ここで、高音質には、従来と比較して、ビットレートを高くした場合、チャネル数を多くした場合などが含まれる。
【００３５】
また、プライオリティ（priority）が“２”で識別されるメディアデータの種類は、ＨＤのスケーラブル拡張成分のビデオデータ３（Video3）と高音質のオーディオデータ２（Audio2）からなるものと定義する。そして、この種類のメディアデータを含むカプセルレイヤ・パケットのタイプ（type）は、パケットタイプ３（Packet type3）とされる。
【００３６】
また、プライオリティ（priority）が“３”で識別されるメディアデータの種類は、ＨＤのスケーラブル拡張成分のビデオデータ３（Video3）と従来音質からのスケーラブル拡張成分のオーディオデータ３（Audio3）からなるものと定義する。そして、この種類のメディアデータを含むカプセルレイヤ・パケットのタイプ（type）は、パケットタイプ４（Packet type4）とされる。
【００３７】
また、プライオリティ（priority）が“４”で識別されるメディアデータの種類は、ＨＤのスケーラブル拡張成分のビデオデータ３（Video3）のみからなるものと定義する。そして、この種類のメディアデータを含むカプセルレイヤ・パケットのタイプ（type）は、パケットタイプ５（Packet type5）とされる。
【００３８】
また、プライオリティ（priority）が“５”で識別されるメディアデータの種類は、高音質のオーディオデータ２（Audio2）のみからなるものと定義する。そして、この種類のメディアデータを含むカプセルレイヤ・パケットのタイプ（type）は、パケットタイプ６（Packet type6）とされる。
【００３９】
さらに、プライオリティ（priority）が“６”で識別されるメディアデータの種類は、従来音質からのスケーラブル拡張成分のオーディオデータ３（Audio3）のみからなるものと定義する。そして、この種類のメディアデータを含むカプセルレイヤ・パケットのタイプ（type）は、パケットタイプ７（Packet type7）とされる。
【００４０】
「プライオリティ（priority）の値の挿入位置」
カプセルレイヤ・パケットにおけるプライオリティ（priority）の値の挿入位置の具体例について説明する。最初に、カプセルレイヤ・パケットがＧＳＥパケットである場合について説明する。
【００４１】
図６（ａ）は、ＧＳＥパケットの構造例を示している。図６（ｂ）は、その構造例における主要な項目の内容を示している。「S」のフィールドは、ＰＤＵ（Protocol Data Unit）の開始を示す。「E」のフィールドは、ＰＤＵの終了を示す。「LT」のフィールドは、ラベルタイプを示し、放送の場合は‘１０’となる。「GSE Length」のフィールドは、ＧＳＥパケットのサイズを示す。
【００４２】
「Fragment ID」のフィールドは、フラグメントＩＤを示す。ＰＤＵがフラグメントされる場合は、１つのＰＤＵ内の分割されたパケットは、同一のフラグメントＩＤを持つ。「Total Length」のフィールドは、ＰＤＵ総レングスを示す。「Protocol Type」のフィールドは、エクステンションヘッダ（Extension Header）の有無を示す。“１５３６”以上はタイプ２（Type2）を示し、オプショナルエクステンションヘッダ（Optional Extension Header）を利用することを示す。「Label」のフィールドは、ラベルタイプが‘１０’のときは、伝送されない。
【００４３】
ＧＳＥパケットの場合、オプショナルエクステンションヘッダを利用して、プライオリティ（priority）の値が挿入される。図７は、プライオリティ（priority）の値が挿入されるオプショナルエクステンションヘッダの構造例（Syntax）を示している。「extension_header_type」の８ビットフィールドは、当該オプショナルエクステンションヘッダのタイプを示す。「extension_header_length」の８ビットフィールドは、当該オプショナルエクステンションヘッダのサイズを示す。「packet_priorities」の８ビットフィールドに、プライオリティ（priority）の値が挿入される。
【００４４】
次に、カプセルレイヤ・パケットがＴＬＶパケットである場合について説明する。図８は、ＴＬＶパケットの構造例（Syntax）を示している。“０１”の２ビットフィールドと、「packet_priorities」の６ビットフィールドと、「packet_type」の８ビットフィールドと、「length」の１６ビットフィールドにより、３２ビットのＴＬＶヘッダ（TLV_header）が構成されている。「packet_priorities」のフィールドに、プライオリティ（priority）の値が挿入される。
【００４５】
図４に戻って、フレーミング部１１４は、さらに、各カプセルレイヤ・パケットを伝送フレームのスロットに格納するフレーミング処理を行う。変調/送信部１１５は、伝送フレームにＲＦ変調処理を行って放送波とし、ＲＦ伝送路を通じて受信側に送る。ここで、変調/送信部１１５は、各カプセルレイヤ・パケットを、１つの変調方法を用いて変調するか、あるいは複数の変調方法を用いて変調する。
【００４６】
例えば、１つの変調方法を用いて変調する場合として変調方法１のみが採用され、複数の変調方法を用いて変調する場合として変調方法１および変調方法２が採用される。電波が届く範囲は、変調方式によって変わってくる。図９（ａ）において、到達エリア１は変調方法１による到達エリアを示し、到達エリア２は変調方法２による到達エリアを表している。
【００４７】
伝送方式において、変調方式、符号化率などの伝送パラメータで一括りにされるＰＬＰ（Physical Layer Pipe）と呼ばれる概念が存在する。ＰＬＰ毎に伝送パラメータは独立に設定できる。変調方法１のみが採用される例は、図９（ｂ）に示すように、１つのＰＬＰにより伝送が行われる場合の例となる。変調方法１および変調方法２が採用される例は、図９（ｃ）に示すように、２つのＰＬＰにより伝送が行われる場合の例となる。変調方法１および変調方法２が採用される場合、それぞれの変調方法で変調されたカプセルレイヤ・パケットが時分割で伝送される。
【００４８】
ここでは、変調方法１は、モバイル向けの変調方法、すなわちエラー耐性が強く遠距離までロバスト伝送が可能となる変調方法、例えば２５６ＱＡＭとされる。変調方法２は、ステーショナリ受信機向けの変調方法、すなわちエラー耐性が変調方法１ほど強くはないがビットレートを高めにとることが可能な変調方法、例えば１０２４ＱＡＭとされる。
【００４９】
図１０の“ｃ１”〜“ｃ６”は、伝送されるパケットタイプの組み合わせの一例を示している。この図において、「Pt1」〜「Pt7」は、それぞれ、図５における「Packet type1」〜「Packet type7」に対応している。“ｃ１”の組み合わせでは、パケットタイプ１とパケットタイプ２のカプセルレイヤ・パケットが時分割で伝送される。また、“ｃ２”の組み合わせでは、パケットタイプ１とパケットタイプ３のカプセルレイヤ・パケットが時分割で伝送される。
【００５０】
また、“ｃ３”の組み合わせでは、パケットタイプ１とパケットタイプ４のカプセルレイヤ・パケットが時分割で伝送される。また、“ｃ４”および“ｃ５”の組み合わせでは、パケットタイプ１とパケットタイプ５とパケットタイプ６のカプセルレイヤ・パケットが時分割で伝送される。また、“ｃ６”の組み合わせでは、パケットタイプ１とパケットタイプ６とパケットタイプ７のカプセルレイヤ・パケットが時分割で伝送される。
【００５１】
変調方法として、変調方法１のみが採用される場合、“ｃ１”〜“ｃ６”の組み合わせにおいて、伝送される全てのカプセルレイヤ・パケットは、変調方法１で変調される。一方、変調方法１および変調方法２が採用される場合、“ｃ１”〜“ｃ６”の組み合わせにおいて、あるパケットタイプのカプセルレイヤ・パケットは変調方法１で変調され、残りのパケットタイプのカプセルレイヤ・パケットは変調方法２で変調される。この場合、変調方法１で変調されるカプセルレイヤ・パケットと変調方法２で変調されるカプセルレイヤ・パケットに含まれるメディアデータの種類は異なる。
【００５２】
例えば、図１０に示すように、“ｃ１”の組み合わせにおいて、パケットタイプ１のカプセルレイヤ・パケットは変調方法１で変調され、パケットタイプ２のカプセルレイヤ・パケットは変調方法２で変調される。また、“ｃ２”の組み合わせにおいて、パケットタイプ１のカプセルレイヤ・パケットは変調方法１で変調され、パケットタイプ３のカプセルレイヤ・パケットは変調方法２で変調される。また、“ｃ３”の組み合わせにおいて、パケットタイプ１のカプセルレイヤ・パケットは変調方法１で変調され、パケットタイプ４のカプセルレイヤ・パケットは変調方法２で変調される。
【００５３】
また、“ｃ４”の組み合わせにおいて、パケットタイプ１のカプセルレイヤ・パケットは変調方法１で変調され、パケットタイプ４，５のカプセルレイヤ・パケットは変調方法２で変調される。また、“ｃ４”と同じパケットタイプのカプセルレイヤ・パケットの組み合わせとなっている“ｃ５”の組み合わせにおいて、パケットタイプ１，６のカプセルレイヤ・パケットは変調方法１で変調され、パケットタイプ５のカプセルレイヤ・パケットは変調方法２で変調される。また、“ｃ６”の組み合わせにおいて、パケットタイプ１，６のカプセルレイヤ・パケットは変調方法１で変調され、パケットタイプ７のカプセルレイヤ・パケットは変調方法２で変調される。
【００５４】
図４に示す送信装置１００の動作を簡単に説明する。ビデオ、オーディオなどのメディアデータがエンコーダ１１２に供給される。エンコーダ１１２では、このメディアデータに符号化が施されて、符号化データが得られる。この符号化データは、コンテナ生成部１１３に供給される。コンテナ生成部１１３では、符号化データがパケット化されて、メディア毎に、コンテナレイヤの多重化トランスポートパケットが生成される。
【００５５】
コンテナ生成部１１３で生成された多重化トランスポートパケットは、フレーミング部１１４に供給される。フレーミング部１１４では、多重化トランスポートパケットを含むＩＰパケットが生成され、さらに、このＩＰパケットをカプセル化したＧＳＥパケット、ＴＬＶパケットなどのカプセルレイヤ・パケットが生成される。
【００５６】
ここで、カプセルレイヤ・パケットとして、図５に示すパケットタイプ１〜７のうち、伝送すべきパケットタイプのカプセルレイヤ・パケットが生成される。例えば、図１０の“ｃ１”の組み合わせの場合、パケットタイプ１とパケットタイプ２のカプセルレイヤ・パケットが時分割的に生成される。また、例えば、図１０の“ｃ４”の組み合わせの場合、パケットタイプ１とパケットタイプ５とパケットタイプ６のカプセルレイヤ・パケットが時分割的に生成される。
【００５７】
このようにカプセルレイヤ・パケットが生成される際、フレーミング部１１４では、当該カプセルレイヤ・パケットに含まれるメディアデータの種類、従ってパケットタイプを示す識別情報として、プライオリティ（priority）の値が挿入される（図７、図８参照）。
【００５８】
また、フレーミング部１１４では、各カプセルレイヤ・パケットを伝送フレームのスロットに格納するフレーミング処理が行われる。変調/送信部１１５では、フレーミング部１１４で生成された伝送フレームにＲＦ変調処理が施されて放送波とされ、ＲＦ伝送路を通じて受信側に送られる。ここで、変調/送信部１１５では、各カプセルレイヤ・パケットが、図１０に示すように、変調方法１のみで変調されるか、あるいは変調方法１および変調方法２で変調される。
【００５９】
［受信装置の構成例］
図１１は、受信装置２００の構成例を示している。この受信装置２００は、制御部２１１と、チューナ/復調部２１２と、デフレーミング部２１３と、バッファ２１４と、コンテナ解析部２１５と、デコーダ２１６を有している。制御部２１１は、受信装置２００の各部の動作を制御する。
【００６０】
チューナ/復調部２１２は、ＲＦ伝送路を通じて放送波を受信し、さらに、ＲＦ復調処理を行って、伝送スロットにカプセルレイヤ・パケットを含む伝送フレームを得る。ここで、各カプセルレイヤ・パケットが変調方法１のみを用いて変調されていた場合、チューナ/復調部２１２が変調方法１に対応していれば全てのカプセルレイヤ・パケットが有効となる。
【００６１】
一方、各カプセルレイヤ・パケットが変調方法１および変調方法２を用いて変調されていた場合、例えば、受信装置２００がモバイルであって、変調方法１のみに対応しているときは、変調方法１で変調されていたカプセルレイヤ・パケットのみが有効となる。また、この場合、受信装置２００がステーショナリ受信機であって、変調方法１および変調方法２の双方に対応しているときは、全てのカプセルレイヤ・パケットが有効となる。
【００６２】
デフレーミング部２１３は、伝送フレームから、各スロットに含まれる有効なカプセルレイヤ・パケットを取り出し、デカプセル化の処理を行ってＩＰパケットを得る。この際、デフレーミング部２１３は、カプセルレイヤ・パケットから、当該カプセルレイヤ・パケットに含まれるメディアデータの種類、従ってパケットタイプを示す識別情報としてのプライオリティ（priority）の値を抽出し、制御部２１１に送る。
【００６３】
制御部２１１は、このプライオリティ（priority）の値に基づいて、カプセルレイヤ・パケットに含まれるメディアデータの種類、従ってパケットタイプを把握する。制御部２１１は、デフレーミング部２１３で取り出されたカプセルレイヤ・パケットのうち、所望のメディアデータの種類を含むカプセルレイヤ・パケットから得られたＩＰパケットをバッファ２１４に格納するように制御する。
【００６４】
例えば、送信装置１００から伝送されてくるパケットタイプの組み合わせが図１０の“ｃ１”であって、パケットタイプ１（Pt1）のカプセルレイヤ・パケットとパケットタイプ２（Pt2）のカプセルレイヤ・パケットが時分割で伝送されてくる場合を考える。
【００６５】
この場合、パケットタイプ１（Pt1）のカプセルレイヤ・パケットには、図５に示すように、ＨＤ解像度のビデオデータ１（Video1）と従来音質のオーディオデータ１（Audio1）が含まれている。また、パケットタイプ２（Pt2）のカプセルレイヤ・パケットには、図５に示すように、ＵＨＤ解像度のビデオデータ２（Video2）と高音質のオーディオデータ２（Audio2）が含まれている。
【００６６】
最初に、これらのカプセルレイヤ・パケットが変調方法１のみで変調されて伝送されてくる場合について説明する。
【００６７】
受信装置２００がモバイル（変調方法１のみに対応）である場合、図１２に示すように、デフレーミング部２１３ではパケットタイプ１（Pt1）のカプセルレイヤ・パケットとパケットタイプ２（Pt2）のカプセルレイヤ・パケットの双方が有効なカプセルレイヤ・パケットとして取り出される。そして、制御部２１１の制御により、パケットタイプ１（Pt1）のカプセルレイヤ・パケットのみが選択され、それに含まれるＩＰパケットがバッファ２１４に格納され、提示処理に使用される。
【００６８】
また、受信装置２００がステーショナリ受信機（変調方法１および変調方法２に対応）である場合、図１２に示すように、デフレーミング部２１３ではパケットタイプ１（Pt1）のカプセルレイヤ・パケットとパケットタイプ２（Pt2）のカプセルレイヤ・パケットの双方が有効なカプセルレイヤ・パケットとして取り出される。そして、制御部２１１の制御により、パケットタイプ２（Pt2）のカプセルレイヤ・パケットのみが選択され、それに含まれるＩＰパケットがバッファ２１４に格納され、提示処理に使用される。
【００６９】
次に、パケットタイプ１のカプセルレイヤ・パケットが変調方法１で変調されて伝送されてくると共に、パケットタイプ２のカプセルレイヤ・パケットは変調方法２で変調されて伝送されてくる場合について説明する。
【００７０】
受信装置２００がモバイル（変調方法１のみに対応）である場合、図１３に示すように、デフレーミング部２１３ではパケットタイプ１（Pt1）のカプセルレイヤ・パケットのみが有効なカプセルレイヤ・パケットとして取り出される。そして、制御部２１１の制御により、パケットタイプ１（Pt1）のカプセルレイヤ・パケットが選択され、それに含まれるＩＰパケットがバッファ２１４に格納され、提示処理に使用される。
【００７１】
また、受信装置２００がステーショナリ受信機（変調方法１および変調方法２に対応）である場合、図１３に示すように、デフレーミング部２１３ではパケットタイプ１（Pt1）のカプセルレイヤ・パケットとパケットタイプ２（Pt2）のカプセルレイヤ・パケットの双方が有効なカプセルレイヤ・パケットとして取り出される。そして、制御部２１１の制御により、パケットタイプ２（Pt2）のカプセルレイヤ・パケットのみが選択され、それに含まれるＩＰパケットがバッファ２１４に格納され、提示処理に使用される。
【００７２】
また、例えば、送信装置１００から伝送されてくるパケットタイプの組み合わせが図１０の“ｃ３”であって、パケットタイプ１（Pt1）のカプセルレイヤ・パケットとパケットタイプ４（Pt4）のカプセルレイヤ・パケットが時分割で伝送されてくる場合を考える。
【００７３】
この場合、パケットタイプ１（Pt1）のカプセルレイヤ・パケットには、図５に示すように、ＨＤ解像度のビデオデータ１（Video1）と従来音質のオーディオデータ１（Audio1）が含まれている。また、パケットタイプ４（Pt4）のカプセルレイヤ・パケットには、図５に示すように、ＨＤのスケーラブル拡張成分のビデオデータ３（Video3）と従来音質からのスケーラブル拡張成分のオーディオデータ３（Audio3）が含まれている。
【００７４】
最初に、これらのカプセルレイヤ・パケットが変調方法１のみで変調されて伝送されてくる場合について説明する。
【００７５】
受信装置２００がモバイル（変調方法１のみに対応）である場合、図１４に示すように、デフレーミング部２１３ではパケットタイプ１（Pt1）のカプセルレイヤ・パケットとパケットタイプ４（Pt4）のカプセルレイヤ・パケットの双方が有効なカプセルレイヤ・パケットとして取り出される。そして、制御部２１１の制御により、パケットタイプ１（Pt1）のカプセルレイヤ・パケットのみが選択され、それに含まれるＩＰパケットがバッファ２１４に格納され、提示処理に使用される。
【００７６】
また、受信装置２００がステーショナリ受信機（変調方法１および変調方法２に対応）である場合、図１４に示すように、デフレーミング部２１３ではパケットタイプ１（Pt1）のカプセルレイヤ・パケットとパケットタイプ４（Pt4）のカプセルレイヤ・パケットの双方が有効なカプセルレイヤ・パケットとして取り出される。そして、制御部２１１の制御により、パケットタイプ１（Pt1）のカプセルレイヤ・パケットとパケットタイプ４（Pt4）のカプセルレイヤ・パケットの双方が選択され、それに含まれるＩＰパケットがバッファ２１４に格納され、提示処理に使用される。
【００７７】
次に、パケットタイプ１のカプセルレイヤ・パケットが変調方法１で変調されて伝送されてくると共に、パケットタイプ４のカプセルレイヤ・パケットは変調方法２で変調されて伝送されてくる場合について説明する。
【００７８】
受信装置２００がモバイル（変調方法１のみに対応）である場合、図１５に示すように、デフレーミング部２１３ではパケットタイプ１（Pt1）のカプセルレイヤ・パケットのみが有効なカプセルレイヤ・パケットとして取り出される。そして、制御部２１１の制御により、パケットタイプ１（Pt1）のカプセルレイヤ・パケットが選択され、それに含まれるＩＰパケットがバッファ２１４に格納され、提示処理に使用される。
【００７９】
また、受信装置２００がステーショナリ受信機（変調方法１および変調方法２に対応）である場合、図１５に示すように、デフレーミング部２１３ではパケットタイプ１（Pt1）のカプセルレイヤ・パケットとパケットタイプ４（Pt4）のカプセルレイヤ・パケットの双方が有効なカプセルレイヤ・パケットとして取り出される。そして、制御部２１１の制御により、パケットタイプ１（Pt1）のカプセルレイヤ・パケットとパケットタイプ４（Pt4）のカプセルレイヤ・パケットの双方が選択され、それに含まれるＩＰパケットがバッファ２１４に格納され、提示処理に使用される。
【００８０】
なお、詳細説明は省略するが、その他のパケットタイプの組み合わせ例においても、受信端末２００がモバイルであるかステーショナリ受信機であるかにより、さらには、各カプセルレイヤ・パケットが変調方法１のみを用いて変調されているか変調方法１および変調方法２の双方を用いて変調されているかにより、同様のパケット選択動作が行われる。
【００８１】
図１１に戻って、コンテナ解析部２１５は、バッファ２１４に格納されたＩＰパケットに対し、ペイロードに含まれるデータの種別毎に符号化データを抽出する。デコーダ２１６は、種別毎に、符号化データに対するデコード処理を行って、ビデオ、オーディオなどのメディアデータを得る。
【００８２】
例えば、送信装置１００から伝送されてくるパケットタイプの組み合わせが図１０の“ｃ１”である場合を考える。この場合、受信装置２００がモバイルであるときは、デコーダ２１６から、ＨＤ解像度のビデオデータ１（Video1）と従来音質のオーディオデータ１（Audio1）が得られる。また、この場合、受信装置２００がステーショナリ受信機であるときは、デコーダ２１６から、ＵＨＤ解像度のビデオデータ２（Video2）と高音質のオーディオデータ２（Audio2）が得られる。
【００８３】
また、例えば、送信装置１００から伝送されてくるパケットタイプの組み合わせが図１０の“ｃ３”である場合を考える。この場合、受信装置２００がモバイルであるときは、デコーダ２１６から、ＨＤ解像度のビデオデータ１（Video1）と従来音質のオーディオデータ１（Audio1）が得られる。
【００８４】
また、この場合、受信装置２００がステーショナリ受信機であるときは、デコーダ２１６から、ＨＤ解像度のビデオデータ１（Video1）と従来音質のオーディオデータ１（Audio1）、さらには、ＨＤのスケーラブル拡張成分のビデオデータ３（Video3）と従来音質からのスケーラブル拡張成分のオーディオデータ３（Audio3）が得られる。
【００８５】
なお、図示は省略しているが、デコーダ２１６の後段には、提示処理部が存在し、デコーダ２１６で得られるメディアデータに基づいて画像、音声の提示を行う提示処理部が存在する。
【００８６】
図１１に示す受信装置２００の動作を簡単に説明する。チューナ/復調部２１２では、ＲＦ伝送路を通じて放送波が受信され、ＲＦ復調処理が行われて、伝送スロットにカプセルレイヤ・パケットを含む伝送フレームが得られる。この伝送フレームは、デフレーミング部２１３に供給される。
【００８７】
デフレーミング部２１３では、伝送フレームから、各スロットに含まれる有効なカプセルレイヤ・パケットが取り出され、デカプセル化の処理が行われてＩＰパケットが得られる。ここで、有効なカプセルレイヤ・パケットとは、復調が正しく行われているカプセルレイヤ・パケットを意味する。
【００８８】
また、デフレーミング部２１３では、カプセルレイヤ・パケットから、当該カプセルレイヤ・パケットに含まれるメディアデータの種類、従ってパケットタイプを示す識別情報としてのプライオリティ（priority）の値が抽出され、制御部２１１に送られる。
【００８９】
制御部２１１では、このプライオリティ（priority）の値に基づいて、カプセルレイヤ・パケットに含まれるメディアデータの種類、従ってパケットタイプが把握される。そして、制御部２１１により、バッファ２１４へのＩＰパケットの格納が制御される。この場合、デフレーミング部２１３で取り出されたカプセルレイヤ・パケットのうち、所望のメディアデータの種類を含むカプセルレイヤ・パケットから得られたＩＰパケットのみがバッファ２１４に格納される。
【００９０】
コンテナ解析部２１５では、バッファ２１４に格納されたＩＰパケットに対し、ペイロードに含まれるデータの種別毎に符号化データを抽出する処理が行われる。抽出された符号化データはデコーダ２１６に供給される。デコーダ２１６では、種別毎に、符号化データに対するデコード処理が行われ、ビデオ、オーディオなどのメディアデータが得られる。そして、このメディアデータにより、画像、音声の提示が行われる。
【００９１】
上述したように、図１に示す送受信システム１０においては、送信側において、カプセルレイヤ・パケット（伝送パケット）に、当該カプセルレイヤ・パケットに含まれるメディアデータの種類、従ってパケットタイプを示す識別情報としてのプライオリティ（priority）の値が挿入される。そのため、受信側では、所望のメディアデータが含まれるカプセルレイヤ・パケットを容易に認識でき、メディアデータの選択的処理の便宜が図られる。
【００９２】
また、図１に示す送受信システム１０においては、受信側において、カプセルレイヤ・パケットに挿入されている、当該カプセルレイヤ・パケットに含まれるメディアデータの種類、従ってパケットタイプを示す識別情報としてのプライオリティ（priority）の値に基づいて、バッファ２１４に所望のメディアデータに係るＩＰパケットのみが選択的に格納される。そのため、バッファ２１４は提示処理に無関係なデータをためる必要がなく、必要最小限な容量で済む。
【００９３】
また、図１に示す送受信システム１０においては、送信側において、各カプセルレイヤ・パケットを複数の変調方法を用いて変調することが可能とされる。そのため、カプセルレイヤ・パケットに含まれるメディアデータの種類に応じて、変調方法を選択的に変更することが可能となる。
【００９４】
例えば、モバイルで受信すべきメディアデータが含まれるカプセルレイヤ・パケットに関しては、エラー耐性が強く遠距離までロバスト伝送が可能となる変調方法で変調できる。一方、ステーショナリ受信機でのみ受信すべきメディアデータが含まれるカプセルレイヤ・パケットに関しては、エラー耐性はそれほど強くないがビットレートを高めにとることが可能な変調方法で変調できる。
【００９５】
このように変調方法が変更されることで、例えば、モバイルでは、受信すべきメディアデータを含むカプセルレイヤ・パケットのみを有効なカプセルレイヤ・パケットとして取得でき、後段の処理負荷を軽減できる。
【００９６】
＜２．変形例＞
なお、上述実施の形態においては、放送におけるカプセルレイヤ・パケットとしてＧＳＥパケットやＴＬＶパケットを用いる例を示した。しかし、本技術において、カプセルレイヤ・パケットはこの２つに限定されるものではなく、これらと同様の役割を果たす他のパケットであってもよい。
【００９７】
また、本技術は、以下のような構成を取ることもできる。
（１）上位層にメディアデータを含む多重化トランスポートパケットを持つ伝送パケットが連続的に配置された伝送ストリームを送信する送信部と、
上記伝送パケットに、該伝送パケットに含まれる上記メディアデータの種類を示す識別情報を挿入する情報挿入部を備える
送信装置。
（２）上記送信部は、
上記連続的に配置される伝送パケットを複数の変調方法を用いて変調して送信する
前記（１）に記載の送信装置。
（３）異なる変調方法で変調される伝送パケットに含まれる上記メディアデータの種類は異なる
前記（２）に記載の送信装置。
（４）上記伝送パケットは、ペイロードに上記多重化トランスポートパケットを含むＩＰパケットをカプセル化して得られたカプセルレイヤのパケットである
前記（１）から（３）のいずれかに記載の送信装置。
（５）上記伝送パケットは、ＧＳＥパケット、あるいはＴＬＶパケットである
前記（４）に記載の送信装置。
（６）送信部により、上位層にメディアデータを含む多重化トランスポートパケットを持つ伝送パケットが連続的に配置された伝送ストリームを送信する送信ステップと、
上記伝送パケットに、該伝送パケットに含まれる上記メディアデータの種類を示す識別情報を挿入する情報挿入ステップを有する
送信方法。
（７）上位層にメディアデータを含む多重化トランスポートパケットを持つ伝送パケットが連続的に配置された伝送ストリームを受信する受信部を備え、
上記伝送パケットに、該伝送パケットに含まれる上記メディアデータの種類を示す識別情報が挿入されており、
上記受信された伝送ストリームを、上記識別情報に基づいて処理する処理部をさらに備える
受信装置。
（８）上記処理部は、
上記受信された伝送ストリームを構成する伝送パケットのうち、所望のメディアデータの種類を示す上記識別情報が挿入されている伝送パケットのペイロードデータを選択的にバッファに取り込んで処理する
前記（７）に記載の受信装置。
（９）上記伝送パケットは、ペイロードに上記多重化トランスポートパケットを含むＩＰパケットをカプセル化して得られたカプセルレイヤのパケットである
前記（７）または（８）に記載の受信装置。
（１０）上記伝送パケットは、ＧＳＥパケット、あるいはＴＬＶパケットである
前記（９）に記載の受信装置。
（１１）受信部により、上位層にメディアデータを含む多重化トランスポートパケットを持つ伝送パケットが連続的に配置された伝送ストリームを受信する受信ステップを有し、
上記伝送パケットに、該伝送パケットに含まれる上記メディアデータの種類を示す識別情報が挿入されており、
上記受信された伝送ストリームを、上記識別情報に基づいて処理する処理ステップをさらに有する
受信方法。
【００９８】
本技術の主な特徴は、カプセルレイヤ・パケットに、それに含まれるメディアデータの種類、従ってパケットタイプを示す識別情報としてのプライオリティ（priority）の値を挿入することで、受信側において、所望のメディアデータが含まれるカプセルレイヤ・パケットを容易に認識可能としたことである（図４、図７、図８参照）。
【符号の説明】
【００９９】
１０・・・送受信システム
１００・・・送信装置
１１１・・・制御部
１１２・・・エンコーダ
１１３・・・コンテナ生成部
１１４・・・フレーミング部
１１５・・・変調/送信部
２００・・・受信装置
２１１・・・制御部
２１２・・・チューナ/復調部
２１３・・・デフレーミング部
２１４・・・バッファ
２１５・・・コンテナ解析部
２１６・・・デコーダ
【図１】
2016080234.tif 000003
【図２】
2016080234.tif 000004
【図３】
2016080234.tif 000005
【図４】
2016080234.tif 000006
【図５】
2016080234.tif 000007
【図６】
2016080234.tif 000008
【図７】
2016080234.tif 000009
【図８】
2016080234.tif 000010
【図９】
2016080234.tif 000011
【図１０】
2016080234.tif 000012
【図１１】
2016080234.tif 000013
【図１２】
2016080234.tif 000014
【図１３】
2016080234.tif 000015
【図１４】
2016080234.tif 000016
【図１５】
2016080234.tif 000017
【国際調査報告】
2016080234.tif 000018
2016080234.tif 000019